(57)【要約】      （修正有）【課題】ユーザがオンデマンドデータ及びＥＰＧデータをデータを適時見られるようにする再生データ取得方法、装置、機器及び記憶媒体を提供する。【解決手段】ユーザから送信された要求情報を受信し、サーバが要求情報に基づいてオンデマンドデータ及びライブデータとライブ再生データとを含むＥＰＧデータを同時に検索するように、要求情報をサーバに送信することと、サーバから送信されたオンデマンドデータ及びＥＰＧデータを受信することと、デマンドデータ及びＥＰＧデータを受信したと確定する場合に、デマンドデータ及びＥＰＧデータを同時に表示することとを含む。これによってオンデマンドデータ及びＥＰＧデータを同時に検索して、検索したオンデマンドデータ及びＥＰＧデータをすべて端末機器へ送信して表示させることができ、さらに、端末機器がオンデマンドデータ及びＥＰＧデータを同時に取得できるようにさせる。【選択図】図１
2019208226.tif 000002
【特許請求の範囲】
【請求項１】
再生データ取得方法であって、
ユーザから送信された要求情報を受信し、サーバが前記要求情報に基づいてオンデマンドデータ及びライブデータとライブ再生データとを含む電子番組ガイドＥＰＧデータを同時に検索するように、前記要求情報を前記サーバに送信することと、
前記サーバから送信された前記オンデマンドデータ及び前記ＥＰＧデータを受信することと、
前記オンデマンドデータ及び前記ＥＰＧデータを受信したと確定する場合に、前記オンデマンドデータ及び前記ＥＰＧデータを同時に表示することとを含むことを特徴とする再生データ取得方法。
【請求項２】
前記オンデマンドデータ及び前記ＥＰＧデータを同時に表示することは、
端末機器画面の一側に前記オンデマンドデータを表示させ、且つ端末機器画面の他方側に前記ＥＰＧデータを表示させることを含むことを特徴とする請求項１に記載の方法。
【請求項３】
前記オンデマンドデータ及び前記ＥＰＧデータを同時に表示することは、
端末機器画面の一方のウィンドウに前記オンデマンドデータを表示させ、端末機器画面の他方のウィンドウに前記ＥＰＧデータを表示させることを含み、前記一方のウィンドウが前記他方のウィンドウと重なることを特徴とする請求項１に記載の方法。
【請求項４】
前記オンデマンドデータ及び前記ＥＰＧデータを受信したと確定する場合に、前記オンデマンドデータ及び前記ＥＰＧデータを同時に表示する前記ステップの後に、さらに、
前記ユーザから送信された再生コマンドを受信することと、
前記再生コマンドに基づいて、前記再生コマンドに指示されたデータを再生することとを含むことを特徴とする請求項１〜請求項３のいずれか一項に記載の方法。
【請求項５】
前記要求情報は、
音声情報、タッチ情報及びジェスチャ情報のうちの１種又は複数種を含むことを特徴とする請求項１〜請求項３のいずれか一項に記載の方法。
【請求項６】
再生データ取得方法であって、
端末機器から送信された要求情報を受信することと、
前記要求情報に基づいて、オンデマンドデータ及びライブデータとライブ再生データとを含む電子番組ガイドＥＰＧデータを同時に検索することと、
前記オンデマンドデータ及び前記ＥＰＧデータを検索したと確定する場合に、前記端末機器に前記オンデマンドデータ及び前記ＥＰＧデータを表示させるように、前記オンデマンドデータ及び前記ＥＰＧデータを前記端末機器へ送信することとを含むことを特徴とする再生データ取得方法。
【請求項７】
前記要求情報に基づいて、オンデマンドデータ及びＥＰＧデータを同時に検索することは、
前記請求情報を分析し、キーワードを得ることと、
キーワードに基づいて、前記オンデマンドデータ及び前記ＥＰＧデータを同時に検索することとを含むことを特徴とする請求項６に記載の方法。
【請求項８】
前記要求情報は、
音声情報、タッチ情報及びジェスチャ情報のうちの１種又は複数種を含むことを特徴とする請求項６又は請求項７に記載の方法。
【請求項９】
再生データ取得装置であって、
ユーザから送信された要求情報を受信するための第１受信モジュールと、
サーバが前記要求情報に基づいてオンデマンドデータ及びライブデータとライブ再生データとを含む電子番組ガイドＥＰＧデータを同時に検索するように、前記要求情報を前記サーバに送信するための送信モジュールと、
前記サーバから送信された前記オンデマンドデータ及び前記ＥＰＧデータを受信するための第２受信モジュールと、
前記オンデマンドデータ及び前記ＥＰＧデータを受信したと確定する場合に、前記オンデマンドデータ及び前記ＥＰＧデータを同時に表示するための表示モジュールとを含むことを特徴とする再生データ取得装置。
【請求項１０】
前記表示モジュールは、具体的に、
端末機器画面の一側に前記オンデマンドデータを表示させ、且つ端末機器画面の他方側に前記ＥＰＧデータを表示させるために用いられることを特徴とする請求項９に記載の装置。
【請求項１１】
前記表示モジュールは、具体的に、
端末機器画面の一方のウィンドウに前記オンデマンドデータを表示させ、端末機器画面の他方のウィンドウに前記ＥＰＧデータを表示させるために用いられ、前記一方のウィンドウが前記他方のウィンドウと重なることを特徴とする請求項９に記載の装置。
【請求項１２】
前記装置は、さらに、
前記表示モジュールが、前記オンデマンドデータ及び前記ＥＰＧデータを受信したと確定する場合に、前記オンデマンドデータ及び前記ＥＰＧデータを同時に表示した後、前記ユーザから送信された再生コマンドを受信するための第３受信モジュールと、
前記再生コマンドに基づいて、前記再生コマンドに指示されたデータを再生するための再生モジュールとを含むことを特徴とする請求項９〜請求項１１のいずれか一項に記載の装置。
【請求項１３】
前記要求情報は、
音声情報、タッチ情報及びジェスチャ情報のうちの１種又は複数種を含むことを特徴とする請求項９〜請求項１１のいずれか一項に記載の装置。
【請求項１４】
再生データ取得装置であって、
端末機器から送信された要求情報を受信するための受信モジュールと、
前記要求情報に基づいて、オンデマンドデータ及びライブデータとライブ再生データとを含む電子番組ガイドＥＰＧデータを同時に検索するための検索モジュールと、
前記オンデマンドデータ及び前記ＥＰＧデータを検索したと確定する場合に、前記端末機器に前記オンデマンドデータ及び前記ＥＰＧデータを表示させるように、前記オンデマンドデータ及び前記ＥＰＧデータを前記端末機器へ送信するための送信モジュールとを含むことを特徴とする再生データ取得装置。
【請求項１５】
前記検索モジュールは、
前記要求情報を分析し、キーワードを得るための分析サブモジュールと、
キーワードに基づいて、前記オンデマンドデータ及び前記ＥＰＧデータを同時に検索するための検索モジュールとを含むことを特徴とする請求項１４に記載の装置。
【請求項１６】
前記要求情報は、
音声情報、タッチ情報及びジェスチャ情報のうちの１種又は複数種を含むことを特徴とする請求項１４又は請求項１５に記載の装置。
【請求項１７】
端末機器であって、送信器、受信器、メモリ及びプロセッサを含み、
前記メモリはコンピュータコマンドを記憶するために用いられ、前記プロセッサは前記メモリに記憶された前記コンピュータコマンドを実行して請求項１〜請求項５のいずれか一項に記載の再生データ取得方法を実現させるために用いられることを特徴とする端末機器。
【請求項１８】
記憶媒体であって、読み取り可能な記憶媒体とコンピュータコマンドとを含み、前記コンピュータコマンドが前記読み取り可能な記憶媒体に記憶され、前記コンピュータコマンドは請求項１〜請求項５のいずれか一項に記載の再生データ取得方法を実現するために用いられることを特徴とする記憶媒体。
【請求項１９】
サーバであって、送信器、受信器、メモリ及びプロセッサを含み、
前記メモリはコンピュータコマンドを記憶するために用いられ、前記プロセッサは前記メモリに記憶された前記コンピュータコマンドを実行して請求項６〜請求項８のいずれか一項に記載の再生データ取得方法を実現させるために用いられることを特徴とするサーバ。
【請求項２０】
記憶媒体であって、読み取り可能な記憶媒体とコンピュータコマンドとを含み、前記コンピュータコマンドが前記読み取り可能な記憶媒体に記憶され、前記コンピュータコマンドは請求項６〜請求項８のいずれか一項に記載の再生データ取得方法を実現するために用いられることを特徴とする記憶媒体。
【発明の詳細な説明】
【技術分野】
【０００１】
本願の実施例は人工知能（Ａｒｔｉｆｉｃｉａｌ  Ｉｎｔｅｌｌｉｇｅｎｃｅ、略称ＡＩ）技術分野に関し、特に再生データ取得方法、装置、機器及び記憶媒体に関する。
【背景技術】
【０００２】
通信及びスマート端末技術の発展に伴い、ユーザは携帯電話、タブレットコンピュータ、コンピュータなどのスマート端末機器を用いて通話や情報照会を行う以外に、スマート端末機器を制御することもでき、例えばスマートスピーカ、スマートテレビなどのスマート端末機器を制御して音声や映像を再生させる。
【０００３】
従来、スマート端末機器を制御して音声や映像などのデータを再生させる場合、ユーザはスマート端末機器を制御することによりオンデマンドを行うことができ、さらにスマート端末機器はオンデマンドデータを取得して再生し、又は、ユーザはスマート端末機器を制御することによりライブデータを取得することができ、さらにスマート端末機器はライブデータを取得して再生する。
【０００４】
しかしながら、従来技術では、オンデマンドデータ又はライブデータしか取得できず、オンデマンドデータ取得を行う場合には、オンデマンドリソースを取得できないデータがあり、又は、ライブデータ取得を行う場合には、ライブリソースを取得できないデータがあり、さらにスマート端末機器がリソースを適時取得できないため、ユーザがデータを適時見られないようになる。
【発明の概要】
【発明が解決しようとする課題】
【０００５】
本願の実施例は、上記の態様においてスマート端末機器がリソースを適時取得できないため、ユーザがデータを適時見られないようになるという問題を解決するために、再生データ取得方法、装置、機器及び記憶媒体を提供する。
【課題を解決するための手段】
【０００６】
本願の第１態様にて提供される再生データ取得方法は、
ユーザから送信された要求情報を受信し、サーバが前記要求情報に基づいてオンデマンドデータ及びライブデータとライブ再生データとを含む電子番組ガイドＥＰＧデータを同時に検索するように、前記要求情報を前記サーバに送信することと、
前記サーバから送信された前記オンデマンドデータ及び前記ＥＰＧデータを受信することと、
前記オンデマンドデータ及び前記ＥＰＧデータを受信したと確定する場合に、前記オンデマンドデータ及び前記ＥＰＧデータを同時に表示することとを含む。
【０００７】
選択的に、前記オンデマンドデータ及び前記ＥＰＧデータを同時に表示することは、
端末機器画面の一側に前記オンデマンドデータを表示させ、且つ端末機器画面の他方側に前記ＥＰＧデータを表示させることを含む。
【０００８】
選択的に、前記オンデマンドデータ及び前記ＥＰＧデータを同時に表示することは、
端末機器画面の一方のウィンドウに前記オンデマンドデータを表示させ、端末機器画面の他方のウィンドウに前記ＥＰＧデータを表示させることを含み、前記一方のウィンドウが前記他方のウィンドウと重なる。
【０００９】
選択的に、前記オンデマンドデータ及び前記ＥＰＧデータを受信したと確定する場合に、前記オンデマンドデータ及び前記ＥＰＧデータを同時に表示する前記ステップの後に、さらに、
前記ユーザから送信された再生コマンドを受信することと、
前記再生コマンドに基づいて、前記再生コマンドに指示されたデータを再生することとを含む。
【００１０】
選択的に、前記要求情報は、音声情報、タッチ情報及びジェスチャ情報のうちの１種又は複数種を含む。
【００１１】
本願の第２態様にて提供される再生データ取得方法は、
端末機器から送信された要求情報を受信することと、
前記要求情報に基づいて、オンデマンドデータ及びライブデータとライブ再生データとを含む電子番組ガイドＥＰＧデータを同時に検索することと、
前記オンデマンドデータ及び前記ＥＰＧデータを検索したと確定する場合に、前記端末機器に前記オンデマンドデータ及び前記ＥＰＧデータを表示させるように、前記オンデマンドデータ及び前記ＥＰＧデータを前記端末機器へ送信することとを含む。
【００１２】
選択的に、前記要求情報に基づいて、オンデマンドデータ及びＥＰＧデータを同時に検索することは、
前記請求情報を分析し、キーワードを得ることと、
キーワードに基づいて、前記オンデマンドデータ及び前記ＥＰＧデータを同時に検索することとを含む。
【００１３】
選択的に、前記要求情報は、音声情報、タッチ情報及びジェスチャ情報のうちの１種又は複数種を含む。
【００１４】
本願の第３態様にて提供される再生データ取得装置は、
ユーザから送信された要求情報を受信するための第１受信モジュールと、
サーバが前記要求情報に基づいてオンデマンドデータ及びライブデータとライブ再生データとを含むＥＰＧデータを同時に検索するように、前記要求情報を前記サーバに送信するための送信モジュールと、
前記サーバから送信された前記オンデマンドデータ及び前記ＥＰＧデータを受信するための第２受信モジュールと、
前記オンデマンドデータ及び前記ＥＰＧデータを受信したと確定する場合に、前記オンデマンドデータ及び前記ＥＰＧデータを同時に表示するための表示モジュールとを含む。
【００１５】
選択的に、前記表示モジュールは、具体的に、
端末機器画面の一側に前記オンデマンドデータを表示させ、且つ端末機器画面の他方側に前記ＥＰＧデータを表示させるために用いられる。
【００１６】
選択的に、前記表示モジュールは、具体的に、
端末機器画面の一方のウィンドウに前記オンデマンドデータを表示させ、端末機器画面の他方のウィンドウに前記ＥＰＧデータを表示させるために用いられ、前記一方のウィンドウが前記他方のウィンドウと重なる。
【００１７】
選択的に、前記装置は、さらに、
前記表示モジュールが、前記オンデマンドデータ及び前記ＥＰＧデータを受信したと確定する場合に、前記オンデマンドデータ及び前記ＥＰＧデータを同時に表示した後、前記ユーザから送信された再生コマンドを受信するための第３受信モジュールと、
前記再生コマンドに基づいて、前記再生コマンドに指示されたデータを再生するための再生モジュールとを含む。
【００１８】
選択的に、前記要求情報は、音声情報、タッチ情報及びジェスチャ情報のうちの１種又は複数種を含む。
【００１９】
本願の第４態様にて提供される再生データ取得装置は、
端末機器から送信された要求情報を受信するための受信モジュールと、
前記要求情報に基づいて、オンデマンドデータ及びライブデータとライブ再生データとを含む電子番組ガイドＥＰＧデータを同時に検索するための検索モジュールと、
前記オンデマンドデータ及び前記ＥＰＧデータを検索したと確定する場合に、前記端末機器に前記オンデマンドデータ及び前記ＥＰＧデータを表示させるように、前記オンデマンドデータ及び前記ＥＰＧデータを前記端末機器へ送信するための送信モジュールとを含む。
【００２０】
選択的に、前記検索モジュールは、
前記要求情報を分析し、キーワードを得るための分析サブモジュールと、
キーワードに基づいて、前記オンデマンドデータ及び前記ＥＰＧデータを同時に検索するための検索モジュールとを含む。
【００２１】
選択的に、前記要求情報は、音声情報、タッチ情報及びジェスチャ情報のうちの１種又は複数種を含む。
【００２２】
本願の第５態様にて提供される端末機器は、送信器、受信器、メモリ及びプロセッサを含む。
【００２３】
前記メモリはコンピュータコマンドを記憶するために用いられる。前記プロセッサは前記メモリに記憶された前記コンピュータコマンドを実行して第１態様のいずれかの実現形態にて提供される再生データ取得方法を実現させるために用いられる。
【００２４】
本願の第６態様にて提供される記憶媒体は、読み取り可能な記憶媒体とコンピュータコマンドとを含み、前記コンピュータコマンドが前記読み取り可能な記憶媒体に記憶され、前記コンピュータコマンドは第１態様のいずれかの実現形態にて提供される再生データ取得方法を実現するために用いられることを特徴とする。
【００２５】
本願の第７態様にて提供されるサーバは、送信器、受信器、メモリ及びプロセッサを含む。
【００２６】
前記メモリはコンピュータコマンドを記憶するために用いられる。前記プロセッサは前記メモリに記憶された前記コンピュータコマンドを実行して第２態様のいずれかの実現形態にて提供される再生データ取得方法を実現させるために用いられる。
【００２７】
本願の第８態様にて提供される記憶媒体は、読み取り可能な記憶媒体とコンピュータコマンドとを含み、前記コンピュータコマンドが前記読み取り可能な記憶媒体に記憶され、前記コンピュータコマンドは第２態様のいずれかの実現形態にて提供される再生データ取得方法を実現するために用いられることを特徴とする。
【発明の効果】
【００２８】
本願の実施例にて提供される再生データ取得方法、装置、機器及び記憶媒体は、ユーザから送信された要求情報を受信し、サーバが前記要求情報に基づいてオンデマンドデータ及びライブデータとライブ再生データとを含むＥＰＧデータを同時に検索するように、前記要求情報を前記サーバに送信し、前記サーバから送信された前記オンデマンドデータ及び前記ＥＰＧデータを受信し、前記オンデマンドデータ及び前記ＥＰＧデータを受信したと確定する場合に、前記オンデマンドデータ及び前記ＥＰＧデータを同時に表示することにより、オンデマンドデータ及びＥＰＧデータを同時に検索して、検索したオンデマンドデータ及びＥＰＧデータをすべて端末機器へ送信して表示させることができ、さらに、端末機器がオンデマンドデータ及びＥＰＧデータを同時に取得できるようにさせ、ユーザがオンデマンドデータ及びＥＰＧデータを同時に得ることができるようにさせ、ユーザがデータを適時見ることを容易にする。
【図面の簡単な説明】
【００２９】
本願の実施例又は従来技術における技術的解決手段をより明確に説明するために、以下、実施例又は従来技術の説明に使用する必要がある図面について簡単に紹介し、当然ながら、以下の説明における図面は本願のいくつかの実施例であり、当業者であれば、創造的労力を付せず、これらの図面に基づいて他の図面を得ることができる。
【００３０】
【図１】本願の実施例にて提供される再生データ取得方法の実施例１のフローチャートである。
【図２】本願の実施例にて提供される再生データ取得方法の実施例２のフローチャートである。
【図３】本願の実施例にて提供される再生データ取得方法の実施例２の表示イメージ１である。
【図４】本願の実施例にて提供される再生データ取得方法の実施例２の表示イメージ２である。
【図５】本願の実施例にて提供される再生データ取得方法の実施例３のフローチャートである。
【図６】本願の実施例にて提供される再生データ取得装置の実施例１の構成模式図である。
【図７】本願の実施例にて提供される再生データ取得装置の実施例２の構成模式図である。
【図８】本願の実施例にて提供される再生データ取得装置の実施例３の構成模式図である。
【図９】本願の実施例にて提供される端末機器の実施例１の構成模式図である。
【図１０】本願の実施例にて提供されるサーバの実施例１の構成模式図である。
【発明を実施するための形態】
【００３１】
本願の実施例の目的、技術的解决手段及び利点をより明確にするために、以下は本願の実施例における図面を参照しながら、本願の実施例における技術的解决手段について明確、完全に説明し、当然ながら、説明される実施例は本願の実施例の一部であり、すべての実施例ではない。本願における実施例に基づいて、当業者が創造的な労力をせず得たすべての他の実施例は、いずれも本願の範囲に属する。
【００３２】
近年、人工知能技術が大きく発展しており、且つ徐々に製品化を実現する。ホームシーンでは、人工知能はテレビ、オーディオなどの家庭用電気機器に用いられている。ユーザはオンデマンド技術により、オンデマンドデータを取得することができる。例えば、ユーザは音声でスマート端末機器を制御することによってオンデマンドデータを見つけることができ、例えば見たいドラマ、映画などを見つける。又は、ユーザはライブ技術により、ライブデータを取得することができる。異なるシーンでは、ユーザのデータ絞り込み検索のニーズは異なるチャネルに指向することが分かり、例えば、ユーザはオンデマンドデータを検索する必要があり、又は、ユーザはライブデータを検索する必要がある。
【００３３】
ユーザのオンデマンド、ライブ及びライブ再生に対するニーズは時間により異なる。しかしながら、ライブ及びライブ再生には固有の良質なリソースが多くあり、例えば、『新聞聯播』などの番組は、ライブ及びライブ再生にしかリソースがなく、オンデマンドにリソースがない。絞り込み検索の結果にこのリソースを導入すれば、元のオンデマンドリソースを補充することができる。
【００３４】
上記問題に対して、本願は再生データ取得方法を提供し、以下、いくつかの具体的な実施例により、該態様について詳細に説明する。
【００３５】
図１は本願の実施例にて提供される再生データ取得方法の実施例１のフローチャートであり、図１に示すように、該態様の実行主体は携帯電話、タブレットコンピュータなどの端末機器であり、該再生データ取得方法は具体的にＳ１０２〜Ｓ１０３を含む。
【００３６】
Ｓ１０１、ユーザから送信された要求情報を受信し、サーバが要求情報に基づいてオンデマンドデータ及びライブデータとライブ再生データとを含む電子番組ガイド（Ｅｌｅｃｔｒｏｎｉｃ  Ｐｒｏｇｒａｍ  Ｇｕｉｄｅ、略称ＥＰＧ）データを同時に検索するように、要求情報をサーバに送信する。
【００３７】
なお、このステップにおいて、データは音声、又は映像、又は音声及び映像を含み、特別な場合に、画像もテキストも含み、これについて本態様は制限しない。
【００３８】
ユーザは端末機器をオンにした後、ユーザは端末機器に要求情報を入力する。例えば、ユーザは「Ａドラマを検索したい」という音声を送信する。
【００３９】
且つ、端末機器は音声機器を予備的に認識でき、ユーザの表現に正確なタイトルがある場合にしか、端末機器は本実施例の後続するステップをトリガして、さらにオンデマンドデータ及びＥＰＧデータに対してハイブリッド検索を行うことはない。
【００４０】
そして、端末機器は要求情報をサーバに送信する。続いて、サーバは受信した要求情報を分析し、キーワードを得る。サーバはキーワードに基づいて、オンデマンドデータ及びライブデータとライブ再生データとを含むＥＰＧデータを同時に検索することができる。
【００４１】
例えば、サーバは要求情報を分析し、タイトル、テレビ局の名称及びアクションタイプを得る。例えば、サーバは音声を分析した後、ｆｉｌｍ＝Ｘ（タイトル）を得る。又は、サーバは音声を分析した後、ｆｉｌｍ＝Ｘ（タイトル）、ｔｖ＿ｓｔａｔｉｏｎ＝Ｙ（テレビ局）を得る。又は、サーバは音声を分析した後、ｆｉｌｍ＝Ｘ（タイトル）、ａｃｔｉｏｎ＿ｔｙｐｅ＝Ｚ（アクションタイプ）を得る。又は、サーバは音声を分析した後、ｆｉｌｍ＝Ｘ（タイトル）、ｔｖ＿ｓｔａｔｉｏｎ＝Ｙ（テレビ局）、ａｃｔｉｏｎ＿ｔｙｐｅ＝Ｚ（アクションタイプ）を得る。これによって、サーバは分析によって得たタイトル、テレビ局の名称及びアクションタイプなどに基づいて、オンデマンドデータ及びＥＰＧデータを検索することができる。
【００４２】
なお、該態様において、サーバと端末機器は直接接続してよく、例えば、サーバと端末機器との間はブルートゥース（登録商標）又は近距離無線通信技術（Ｎｅａｒ  Ｆｉｅｌｄ  Ｃｏｍｍｕｎｉｃａｔｉｏｎ、ＮＦＣ）などのリンクを介して接続してよく、サーバは端末機器へコマンド及びメッセージを直接送信して、端末機器に対する制御を完成することができる。
【００４３】
選択的に、サーバと端末機器はそれぞれネットワークにアクセスしてもよく、例えば、サーバと端末機器はいずれも同一のワイファイ（Ｗｉｒｅｌｅｓｓ  Ｆｉｄｅｌｉｔｙ、ＷＩＦＩ）ネットワークにアクセスし、サーバは該無線ネットワークによって端末機器へコマンド及びメッセージを送信し、端末機器に対する制御を実現し、これについて本態様は制限しない。
【００４４】
Ｓ１０２、サーバから送信されたオンデマンドデータ及びＥＰＧデータを受信する。
【００４５】
このステップにおいて、サーバがオンデマンドデータ及びＥＰＧデータを検索する場合、オンデマンドデータに対して、サーバは従来のオンデマンド検索論理を用いて検索することができる。ＥＰＧデータに対して、キーワードにタイトルだけがあるとき、サーバはテレビ局において該タイトルに対応するデータを検索することができ、キーワードにタイトルとテレビ局の名称があるとき、サーバはテレビ局の名称に対応するテレビ局においてタイトルに対応するデータを検索する。
【００４６】
そして、サーバはオンデマンドデータ及びＥＰＧデータを同時に検索した場合に、検索したオンデマンドデータ及びＥＰＧデータをすべて端末機器へ送信する。
【００４７】
Ｓ１０３、デマンドデータ及びＥＰＧデータを受信したと確定する場合に、デマンドデータ及びＥＰＧデータを同時に表示する。
【００４８】
このステップにおいて、端末機器はオンデマンドデータ及びＥＰＧデータを受信した場合に、デマンドデータ及びＥＰＧデータを同時に表示する。端末機器はオンデマンドデータだけを受信した場合に、オンデマンドデータを表示する。端末機器はＥＰＧデータだけを受信した場合に、ＥＰＧデータを表示する。
【００４９】
本実施例にて提供される再生データ取得方法は、ユーザから送信された要求情報を受信し、サーバが要求情報に基づいてオンデマンドデータ及びライブデータとライブ再生データとを含むＥＰＧデータを同時に検索するように、要求情報をサーバに送信し、サーバから送信されたオンデマンドデータ及びＥＰＧデータを受信し、デマンドデータ及びＥＰＧデータを受信したと確定する場合に、デマンドデータ及びＥＰＧデータを同時に表示することができることにより、オンデマンドデータ及びＥＰＧデータを同時に検索して、検索したオンデマンドデータ及びＥＰＧデータをすべて端末機器へ送信して表示させることができ、さらに、端末機器がオンデマンドデータ及びＥＰＧデータを同時に取得できるようにさせ、ユーザがオンデマンドデータ及びＥＰＧデータを同時に得ることができるようにさせ、ユーザがデータを適時見ることを容易にする。
【００５０】
図２は本願の実施例にて提供される再生データ取得方法の実施例２のフローチャートであり、図２に示すように、上記の実施例１に基づいて、該再生データ取得方法の他の実現形態において、具体的にはＳ２０１〜Ｓ２０５を含む。
【００５１】
Ｓ２０１、ユーザから送信された要求情報を受信し、サーバが要求情報に基づいてオンデマンドデータ及びライブデータとライブ再生データとを含むＥＰＧデータを同時に検索するように、要求情報をサーバに送信する。
【００５２】
要求情報は、音声情報、タッチ情報及びジェスチャ情報のうちの１種又は複数種を含む。
【００５３】
本態様において、サーバと端末機器との間は直接接続してよく、例えば、ブルートゥース（登録商標）を用いて無線接続を行い、又は有線接続を用いる。
【００５４】
このステップは図１のステップＳ１０１を参照してよい。ユーザは端末機器に音声を入力してもよく、又は、ユーザは端末機器にジェスチャ情報を入力してもよく、又は、ユーザは端末機器のスクリーン若しくはキーボードをタッチしてもよく、以上の手段のうちの１種又は複数種により、端末機器に要求情報を入力する。
【００５５】
このステップにおいて、サーバがオンデマンドデータ及びＥＰＧデータを検索する場合、オンデマンドデータに対して、サーバがオンデマンドデータベースにおいてキーワードに対応するオンデマンドデータを見つけたとき、サーバは検索したオンデマンドデータを端末機器へ送信してよい。サーバがオンデマンドデータベースにおいてキーワードに対応するオンデマンドデータを見つけていなかったとき、サーバはキーワードに対応するオンデマンドデータに関連するオンデマンドデータを、端末機器へ送信してよく、即ち、サーバは端末機器へ似ているドラム又は人気ドラマをプッシュし、且つサーバはオンデマンドデータの時間、人気度及び評点に基づいてオンデマンドデータを並び替える。
【００５６】
ライブデータに対して、サーバがキーワードに対応するライブデータを検出したとき、サーバはライブデータの放送時間のＮ分間前から放送終了時間まで、ライブポータルを示してよい。且つ、複数のテレビ局がライブデータを放送するとき、該ライブデータを放送する複数のテレビ局のライブポータルを同時に示してよい。他の時間には、サーバはライブポータルを示さない。且つ、サーバはライブデータの番組情報に基づいて並び替えてよく、例えば、時間の早い順にライブデータを並び替えてよい。
【００５７】
ライブ再生データに対して、サーバは要求情報を受信する時刻のＸ日間前のライブ再生データを検索してよく、さらにキーワードに対応するライブ再生データを得て、サーバは再生ポータルを確定し、さらに端末機器は再生ポータルを表示できる。サーバがライブ再生データを検索していなかった場合、サーバは再生ポータルを表示しない。サーバが複数の同じのライブ再生データを検索した場合、サーバはそのうち１つのライブ再生データのみを保留してよく、例えば、サーバは現在の時間から最も近く離れるライブ再生データのみを保留する。サーバはライブ再生データにおける番組情報に基づいて、複数の再生ポータルを時間の早い順に並び替えてよい。
【００５８】
ライブデータに対応するテレビ局が多く、且つ、ライブデータの再放送回数が多い場合、サーバは主なテレビ局の主な放送時間である結果のみを返送してよい。
【００５９】
Ｓ２０２、サーバから送信されたオンデマンドデータ及びＥＰＧデータを受信する。
【００６０】
このステップにおいて、このステップは図１のステップＳ１０１を参照してよく、重複する説明を省略する。
【００６１】
Ｓ２０３、デマンドデータ及びＥＰＧデータを受信したと確定する場合に、デマンドデータ及びＥＰＧデータを同時に表示する。
【００６２】
具体的には、ステップＳ２０３は以下の２種類の実現形態を含む。
ステップＳ２０３の１種目の実現形態として、端末機器画面の一側にオンデマンドデータを表示させ、且つ端末機器画面の他方側にＥＰＧデータを表示させる。
ステップＳ２０３の２種目の実現形態として、端末機器画面の一方のウィンドウにオンデマンドデータを表示させ、端末機器画面の他方のウィンドウにＥＰＧデータを表示させ、一方のウィンドウが他方のウィンドウと重なる。
【００６３】
このステップにおいて、サーバがオンデマンドデータ及びＥＰＧデータを同時に検索した場合、端末機器はオンデマンドデータ及びＥＰＧデータを同時に受信できる。端末機器は端末機器画面の両側にオンデマンドデータ及びＥＰＧデータをそれぞれ表示させてよく、図３は本願の実施例にて提供される再生データ取得方法の実施例２の表示イメージ１であり、図３に示すように、端末機器画面の一側にオンデマンドデータを表示させ、且つ端末機器画面の他方側にＥＰＧデータを表示させる。
【００６４】
又は、サーバがオンデマンドデータ及びＥＰＧデータを同時に検索した場合、端末機器はオンデマンドデータ及びＥＰＧデータを同時に受信できる。端末機器は２つのウィンドウを提供してよく、一方のウィンドウにオンデマンドデータを表示させ、他方のウィンドウにＥＰＧデータを表示させ、且つこの２つのウィンドウが重なり、図４は本願の実施例にて提供される再生データ取得方法の実施例２の表示イメージ２であり、図４に示すとおりである。
【００６５】
Ｓ２０４、ユーザから送信された再生コマンドを受信する。
【００６６】
このステップにおいて、端末機器がオンデマンドデータ及びＥＰＧデータを同時に表示させた場合、ユーザはどちらのデータを見るかを選択してよい。さらに、ユーザは音声インタラクション、端末タッチ、ジェスチャインタラクションなどの手段により、端末機器へ再生コマンドを送信してよく、該再生コマンドはオンデマンドデータとＥＰＧデータのうちの１種のデータを指示する。
【００６７】
Ｓ２０５、再生コマンドに基づいて、再生コマンドに指示されたデータを再生する。
【００６８】
このステップにおいて、端末機器は再生コマンドに指示されたデータを再生し、例えば、端末機器はオンデマンドデータ又はＥＰＧデータを再生する。
【００６９】
本実施例にて提供される再生データ取得方法は、ユーザから送信された要求情報を受信し、サーバが要求情報に基づいてオンデマンドデータ及びライブデータとライブ再生データとを含むＥＰＧデータを同時に検索するように、要求情報をサーバに送信し、サーバから送信されたオンデマンドデータ及びＥＰＧデータを受信し、デマンドデータ及びＥＰＧデータを受信したと確定する場合に、デマンドデータ及びＥＰＧデータを同時に表示することにより、オンデマンドデータ及びＥＰＧデータを同時に検索して、検索したオンデマンドデータ及びＥＰＧデータをすべて端末機器へ送信して表示させることができ、さらに、端末機器がオンデマンドデータ及びＥＰＧデータを同時に取得できるようにさせ、ユーザがオンデマンドデータ及びＥＰＧデータを同時に得ることができるようにさせ、ユーザがデータを適時見ることを容易にし、オンデマンドの利便性とライブの時効性を両立させることができ、ユーザ体験を向上させる。
【００７０】
図５は本願の実施例にて提供される再生データ取得方法の実施例３のフローチャートであり、図５に示すように、該再生データ取得方法において、具体的にはＳ３０１〜Ｓ３０３を含む。
【００７１】
Ｓ３０１、端末機器から送信された要求情報を受信する。
【００７２】
要求情報は、音声情報、タッチ情報及びジェスチャ情報のうちの１種又は複数種を含む。
【００７３】
Ｓ３０２、要求情報に基づいて、オンデマンドデータ及びライブデータとライブ再生データとを含むＥＰＧデータを同時に検索する。
【００７４】
Ｓ３０３、オンデマンドデータ及びＥＰＧデータを検索したと確定する場合に、端末機器にオンデマンドデータ及びＥＰＧデータを表示させるように、オンデマンドデータ及びＥＰＧデータを端末機器へ送信する。
【００７５】
Ｓ３０２は具体的に、請求情報を分析し、キーワードを得ることと、キーワードに基づいて、オンデマンドデータ及びＥＰＧデータを同時に検索することとを含む。
【００７６】
本実施例は図１〜図４に提供される方法を参照してよく、重複する説明を省略する。
【００７７】
本実施例にて提供される再生データ取得方法は、端末機器から送信された要求情報を受信し、要求情報に基づいて、オンデマンドデータ及びライブデータとライブ再生データとを含むＥＰＧデータを同時に検索し、オンデマンドデータ及びＥＰＧデータを検索したと確定する場合に、端末機器にオンデマンドデータ及びＥＰＧデータを表示させるように、オンデマンドデータ及びＥＰＧデータを端末機器へ送信することにより、オンデマンドデータ及びＥＰＧデータを同時に検索して、検索したオンデマンドデータ及びＥＰＧデータをすべて端末機器へ送信して表示させることができ、さらに、端末機器がオンデマンドデータ及びＥＰＧデータを同時に取得できるようにさせ、ユーザがオンデマンドデータ及びＥＰＧデータを同時に得ることができるようにさせ、ユーザがデータを適時見ることを容易にし、オンデマンドの利便性とライブの時効性を両立させることができ、ユーザ体験を向上させる。
【００７８】
図６は本願の実施例にて提供される再生データ取得装置の実施例１の構成模式図であり、図６に示すように、本実施例にて提供される再生データ取得装置は第１受信モジュール６１と、送信モジュール６２と、第２受信モジュール６３と、表示モジュール６４とを含む。
【００７９】
第１受信モジュール６１は、ユーザから送信された要求情報を受信するために用いられる。
【００８０】
送信モジュール６２は、サーバが要求情報に基づいてオンデマンドデータ及びライブデータとライブ再生データとを含むＥＰＧデータを同時に検索するように、要求情報をサーバに送信するために用いられる。
【００８１】
第２受信モジュール６３は、サーバから送信されたオンデマンドデータ及びＥＰＧデータを受信するために用いられる。
【００８２】
表示モジュール６４は、デマンドデータ及びＥＰＧデータを受信したと確定する場合に、デマンドデータ及びＥＰＧデータを同時に表示するために用いられる。
【００８３】
本実施例にて提供される再生データ取得装置は、前述したいずれかの実施例にて提供される再生データ取得方法における端末機器を実現する技術的解決手段と同様に、その実現原理及び技術的効果が類似しており、ここで重複する説明を省略する。
【００８４】
図７は本願の実施例にて提供される再生データ取得装置の実施例２の構成模式図であり、図６に示す実施例に基づいて、図７に示すように、本実施例にて提供される再生データ取得装置には、表示モジュール６４は、具体的に、端末機器画面の一側にオンデマンドデータを表示させ、且つ端末機器画面の他方側にＥＰＧデータを表示させることに用いられる。
【００８５】
又は、表示モジュール６４は、具体的に、
端末機器画面の一方のウィンドウにオンデマンドデータを表示させ、端末機器画面の他方のウィンドウにＥＰＧデータを表示させ、一方のウィンドウが他方のウィンドウと重なることに用いられる。
【００８６】
本実施例にて提供される装置はさらに、第３受信モジュール７１と再生モジュール７２とを含む。
【００８７】
第３受信モジュール７１は、表示モジュール６４が、デマンドデータ及びＥＰＧデータを受信したと確定する場合に、デマンドデータ及びＥＰＧデータを同時に表示した後、ユーザから送信された再生コマンドを受信するために用いられる。
【００８８】
再生モジュール７２は、再生コマンドに基づいて、再生コマンドに指示されたデータを再生するために用いられる。
【００８９】
要求情報は、音声情報、タッチ情報及びジェスチャ情報のうちの１種又は複数種を含む。
【００９０】
本実施例にて提供される再生データ取得装置は、前述したいずれかの実施例にて提供される再生データ取得方法における端末機器を実現する技術的解決手段と同様に、その実現原理と技術的効果が類似しており、ここで重複する説明を省略する。
【００９１】
図８は本願の実施例にて提供される再生データ取得装置の実施例３の構成模式図であり、図８に示すように、本実施例にて提供される再生データ取得装置は受信モジュール８１と、検索モジュール８２と、送信モジュール８３とを含む。
【００９２】
受信モジュール８１は、端末機器から送信された要求情報を受信するために用いられる。
【００９３】
検索モジュール８２は、要求情報に基づいて、オンデマンドデータ及びライブデータとライブ再生データとを含むＥＰＧデータを同時に検索するために用いられる。
【００９４】
送信モジュール８３は、オンデマンドデータ及びＥＰＧデータを検索したと確定する場合に、端末機器にオンデマンドデータ及びＥＰＧデータを表示させるように、オンデマンドデータ及びＥＰＧデータを端末機器へ送信するために用いられる。
【００９５】
検索モジュール８２は、分析サブモジュールと検索モジュールとを含む。
【００９６】
分析サブモジュールは要求情報を分析し、キーワードを得るために用いられる。
【００９７】
検索モジュールは、キーワードに基づいて、オンデマンドデータ及びＥＰＧデータを同時に検索するために用いられる。
【００９８】
要求情報は、音声情報、タッチ情報及びジェスチャ情報のうちの１種又は複数種を含む。
【００９９】
本実施例にて提供される再生データ取得装置は、前述したいずれかの実施例にて提供される再生データ取得方法におけるサーバを実現する技術的解決手段と同様に、その実現原理と技術的効果が類似しており、ここで重複する説明を省略する。
【０１００】
図９は本願の実施例にて提供される端末機器の実施例１の構成模式図であり、図９に示すように、該端末機器は、送信器９１ａ、受信器９２ａ、メモリ９３ａ及びプロセッサ９４ａを含む。
【０１０１】
メモリ９３ａはコンピュータコマンドを記憶するために用いられる。プロセッサ９４ａはメモリに記憶されたコンピュータコマンドを実行して前述した図１−図４における実施例にて提供されるいずれかの実現形態の再生データ取得方法の技術的解決手段を実現させるために用いられる。
【０１０２】
本願はさらに、読み取り可能な記憶媒体とコンピュータコマンドを含み、コンピュータコマンドが読み取り可能な記憶媒体に記憶され、コンピュータコマンドが前述した図１−図４における実施例にて提供されるいずれかの実現形態の再生データ取得方法の技術的解決手段を実現するために用いられることを特徴とする記憶媒体を提供する。
【０１０３】
図１０は本願の実施例にて提供されるサーバの実施例１の構成模式図であり、図１０に示すように、該サーバは、送信器９１ｂ、受信器９２ｂ、メモリ９３ｂ及びプロセッサ９４ｂを含む。
【０１０４】
メモリ９３ｂはコンピュータコマンドを記憶するために用いられる。プロセッサ９４ｂはメモリに記憶されたコンピュータコマンドを実行して前述した図５における実施例にて提供されるいずれかの実現形態の再生データ取得方法の技術的解決手段を実現させるために用いられる。
【０１０５】
本願はさらに、読み取り可能な記憶媒体とコンピュータコマンドを含み、コンピュータコマンドが読み取り可能な記憶媒体に記憶され、コンピュータコマンドが前述した図５における実施例にて提供されるいずれかの実現形態の再生データ取得方法の技術的解決手段を実現するために用いられることを特徴とする記憶媒体を提供する。
【０１０６】
なお、上記制御機器の具体的な実現において、プロセッサは中央処理装置（英語：Ｃｅｎｔｒａｌ  Ｐｒｏｃｅｓｓｉｎｇ  Ｕｎｉｔ、略称：ＣＰＵ）であってもよいし、他の汎用プロセッサ、デジタルシグナルプロセッサ（英語：Ｄｉｇｉｔａｌ  Ｓｉｇｎａｌ  Ｐｒｏｃｅｓｓｏｒ、略称：ＤＳＰ）、特定用途向け集積回路（英語：Ａｐｐｌｉｃａｔｉｏｎ  Ｓｐｅｃｉｆｉｃ  Ｉｎｔｅｇｒａｔｅｄ  Ｃｉｒｃｕｉｔ、略称：ＡＳＩＣ）などであってもよい。汎用プロセッサはマイクロプロセッサであってもよく、又は該プロセッサはいずれかの通常のプロセッサなどであってもよい。本願の実施例にて開示される方法のステップを参照して、ハードウェアプロセッサで実行して完成させ、又はプロセッサにおけるハードウェアとソフトウェアモジュールの組み合わせで実行して完成させるようにしてもよい。
【０１０７】
当業者であれば、上記の各方法に係る実施例のステップのすべて又は一部を実現するために、プログラムによって関連するハードウェアを命令して完成させてよいことが分かる。前記プログラムはコンピュータ読み取り可能な記憶媒体に記憶されてよい。該プログラムは、実行時、上記の各方法に係る実施例のステップを実行する。前記記憶媒体は、読み取り専用メモリ（英語：ｒｅａｄ−ｏｎｌｙ  ｍｅｍｏｒｙ、略称：ＲＯＭ）、ＲＡＭ、フラッシュメモリ、ハードディスク、ソリッドステートドライブ、磁気テープ（英語：ｍａｇｎｅｔｉｃ  ｔａｐｅ）、フロッピーディスク（英語：ｆｌｏｐｐｙ  ｄｉｓｋ）、光ディスク（英語：ｏｐｔｉｃａｌ  ｄｉｓｃ）及びそれらの任意の組み合わせを含む。
なお、上記の各実施例は本願の技術的解決手段を説明するものに過ぎず、それを制限するものではない。上記の各実施例を参照しながら、本願について詳細に説明しても、当業者であれば、上記の各実施例に記載の技術的解決手段を変更し、又はその技術的特徴の一部若しくはすべてを同等置換してもよいことが分かる。これらの変更又は置換は、対応する技術的解決手段の本質を本願の各実施例の技術的解決手段の範囲から逸脱させない。
【図１】
2019208226.tif 000003
【図２】
2019208226.tif 000004
【図３】
2019208226.tif 000005
【図４】
2019208226.tif 000006
【図５】
2019208226.tif 000007
【図６】
2019208226.tif 000008
【図７】
2019208226.tif 000009
【図８】
2019208226.tif 000010
【図９】
2019208226.tif 000011
【図１０】
2019208226.tif 000012